(57)【特許請求の範囲】
【請求項１】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記蛍光ランプを保持するランプ支持バネと、
前記ランプソケットおよび前記ランプ支持バネを介して前記蛍光ランプを内部に保持する器具本体と、
前記器具本体に取付けられて前記蛍光ランプの前面を覆うパネルと、を備えた照明器具であって、
前記ランプ支持バネが、前記口金を保持するとともに、前記発光管端部においてフィラメントに対応する部分のパネル側を覆うことを特徴とする照明器具。
【請求項２】
前記ランプ支持バネが、前記パネル側とは反対側においては前記口金に接しかつ前記発光管端部の前記フィラメントに対応する部分を覆わないことを特徴とする請求項１記載の照明器具。
【請求項３】
前記ランプ支持バネが、前記口金を側面から保持する口金保持部と、前記発光管端部の前記フィラメントに対応する部分の前記パネル側を覆う遮蔽部とを有し、
前記遮蔽部が前記口金保持部から前記フィラメント側に沿って同一曲面で突出していることを特徴とする請求項１または２記載の照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、放電路が２重渦巻状に旋回された蛍光ランプが知られている（例えば特許文献１参照）。
図７（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。ブリッジ１０２の中央部には、裏側に突出して口金１０３が設けられており、口金１０３の中央には、ランプピン１０４が設けられている。また、ブリッジ１０２から蛍光ランプ１００を貫通して複数の発光管保持部材１０２ａ、１０２ａが設けられており、発光管１０１の途中部分を保持している。さらに、口金１０３から裏側に突出して一対の保持取っ手１０３ａ、１０３ａが設けられている。
【０００３】
また、発光管１０１の両端部１０１ｂ、１０１ｂ内部には、それぞれフィラメント（図示省略）が気密封着されて設けられており、電極リード線（図示省略）間に架設されている。電極リード線は、ブリッジ１０２に沿って口金１０３まで延設されており、ランプピン１０４に接続されている。
【特許文献１】特開２００７−２７３３３４号公報（第２図）
【発明の開示】
【発明が解決しようとする課題】
【０００４】
しかしながら、前述した特許文献１に記載の蛍光ランプ１００を照明器具に用いた場合、点灯するとフィラメントが設けられている発光管端部１０１ｂが高温になるため、蛍光ランプ１００の前面を覆うカバーと蛍光ランプ１００との間には十分な間隔を設ける必要があり、照明器具の薄型化を妨げているという問題があった。
【０００５】
本発明は、従来の問題を解決するためになされたもので、平面らせん形蛍光灯を用いても薄型化を図ることができる照明器具を提供することを目的とする。
【課題を解決するための手段】
【０００６】
本発明の照明器具は、管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを内部に保持する器具本体と、前記器具本体に取付けられて前記蛍光ランプの前面を覆うパネルと、を備えた照明器具であって、前記ランプ支持バネが、前記口金を保持するとともに、前記発光管端部においてフィラメントに対応する部分のパネル側を覆う構成を有している。
【０００７】
この構成により、蛍光ランプを保持するランプ支持バネが口金を保持するので、フィラメントによって加熱された口金の熱をランプ支持バネを通じて器具本体に逃がすことができ、口金の温度上昇を抑えることができる。また、支持バネが、発光管端部においてフィラメントに対応する部分のパネル側を覆うので、パネルを加熱するフィラメントからの熱を遮断することができ、蛍光ランプとパネルとの間隔を小さくすることにより、照明器具の薄型化を図ることができる。
【０００８】
また、本発明の照明器具は、前記ランプ支持バネが、前記パネル側とは反対側においては前記口金に接しかつ前記発光管端部の前記フィラメントに対応する部分を覆わない構成を有している。
【０００９】
この構成により、ランプ支持バネが口金に接するので、口金の熱を器具本体に逃がして温度上昇を抑制することができるとともに、パネルとは反対側ではフィラメントに対応する部分を覆わないので、蛍光ランプを容易にランプ支持バネに取付けることができる。
【００１０】
さらに、本発明の照明器具は、前記ランプ支持バネが、前記口金を側面から保持する口金保持部と、前記発光管端部の前記フィラメントに対応する部分の前記パネル側を覆う遮蔽部とを有し、前記遮蔽部が前記口金保持部から前記フィラメント側に沿って同一曲面で突出した構成を有している。
【００１１】
この構成により、ランプ支持バネの口金保持部が蛍光ランプの口金に接触して保持するので、口金の熱を器具本体に逃がして温度上昇を抑制することができるとともに、遮蔽部がフィラメントに対応する部分のパネル側を覆うので、フィラメントの熱によってパネルを加熱するのを防止することができる。
【発明の効果】
【００１２】
本発明は、蛍光ランプを保持するランプ支持バネが口金を保持するので、フィラメントによって加熱された口金の熱をランプ支持バネを通じて器具本体に逃がすことができ、口金の温度上昇を抑えることができる。また、支持バネが、発光管端部においてフィラメントに対応する部分のパネル側を覆うので、パネルを加熱するフィラメントからの熱を遮断することができ、蛍光ランプとパネルとの間隔を小さくすることにより、照明器具の薄型化を図ることができるという効果を有する照明器具を提供することができるものである。
【発明を実施するための最良の形態】
【００１３】
以下、本発明の実施の形態の照明器具について、図面を用いて説明する。
図１は本発明の第１実施形態にかかる照明器具を示す分解斜視図、図２（Ａ）は平面らせん形蛍光灯の平面図、図２（Ｂ）は図２（Ａ）中Ｂ方向から見た正面図、図３はランプソケットの斜視図、図４（Ａ）はランプ支持バネの正面図、図４（Ｂ）は平面図、図４（Ｃ）は側面図、図５（Ａ）はランプ支持バネの取付位置を示す斜視図、図５（Ｂ）は平面らせん形蛍光灯をランプ支持バネで保持した状態を示す斜視図、図６（Ａ）は平面らせん形蛍光灯を反射板に装着した状態を示す平面図、図６（Ｂ）は側面図、図６（Ｃ）は平面図である。
【００１４】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
また、底板１２の中央部および他方の端部よりには、蛍光ランプとしての平面らせん形蛍光灯２０の照明光をパネル１３側に反射して照明効率を向上させる反射板１６が設けられており、反射板１６の上面に、平面らせん形蛍光灯２０を装着するための一対のランプソケット１７、１７が取付けられている。これらランプソケット１７、１７は、電源線（図示省略）によって、点灯装置１４に接続されている。そして、器具本体１２における平面らせん形蛍光灯２０に対向する面である反射板１６の上面には、平面らせん形蛍光灯２０をランプソケット１７に装着した際に、平面らせん形蛍光灯２０の口金２３を保持するランプ支持バネ１８が設けられている。
【００１６】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光灯２０の平面に直交する方向に一対のランプピン２１が一端を発光管２２の軸方向に沿って突出して設けられており、他端は発光管２２の内側端部に設けられているフィラメント２５（図５（Ａ）参照）に接続されている。
【００１７】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、本体１７ａの外周面に沿ってランプピン挿入溝１７ｂを閉じる開閉蓋１７ｄが設けられている。
【００１８】
図４（Ａ）〜（Ｃ）に示すように、ランプ支持バネ１８は、口金２３を側面から保持する口金保持部１８ａと、発光管２２端部のフィラメント２５に対応する部分２２ｂのパネル１３側（上方）を覆う遮蔽部１８ｂとを有しており、遮蔽部１８ｂは口金保持部１８ａからフィラメント２５側に沿って同一曲面で突出している。ランプ支持バネ１８は、熱伝導性がよく、放熱性がよい金属製が好ましい。
【００１９】
口金保持部１８ａおよび遮蔽部１８ｂの上端部は外側へ折り返した折り返し部１８ｅが設けられており、平面らせん形蛍光灯２０をランプ支持バネ１８に取付けやすくしている。また、口金保持部１８ａは支持部１８ｃおよびベース部１８ｄと一体的に設けられており、ベース部１８ｄは反射板１６に例えばネジ止めにより取付けられる。ランプ支持バネ１８は、平面らせん形蛍光灯２０を取付ける前は、平面らせん形蛍光灯２０の位置よりも図４（Ａ）中矢印Ａ方向に偏って取付けられており、平面らせん形蛍光灯２０を取付けた際に、矢印Ａ方向へ付勢されて確実に保持するようになっている。
【００２０】
また、ランプ支持バネ１８は、パネル１３側とは反対側（図６（Ｂ）において下側）においては口金２３に接しかつ発光管２２端部のフィラメント２５に対応する部分２２ｂを覆わないようにするのが望ましい。すなわち、遮蔽部１８ｂは、フィラメント２５に対応する部分２２ｂの外側（すなわち平面らせん形蛍光灯２０の中心と反対側）および上部（すなわちパネル１３側）を覆うが、内側および下側は覆わないようにする。これにより、ランプ支持バネ１８により、平面らせん形蛍光灯２０の脱着を容易にすることができる。なお、遮蔽部１８ｂによって覆う範囲は、フィラメント２５に対応する部分２２ｂに限っているので、外観を損なうことはない。
【００２１】
平面らせん形蛍光灯２０を器具本体１２に取付ける際には、図５（Ａ）に示すように、平面らせん形蛍光灯２０の両端の口金２３、２３に設けられているランプピン２１、２１を、ランプソケット１７のランプピン挿入溝１７ａに位置決めする。そして、ランプピン２１をランプソケット１７の内部に挿入し、口金２３をランプ支持バネ１８の口金保持部１８ａにより保持するとともにフィラメント２５に対応する部分２２ｂを遮蔽部１８ｂにより覆う（図５（Ｂ）参照）。その後、ランプソケット１７の取っ手１７ｅを操作して開閉蓋１７ｄを閉じることにより固定する（図６（Ａ）〜（Ｃ）参照）。
【００２２】
以上、説明した照明器具１０によれば、平面らせん形蛍光灯２０を保持するランプ支持バネ１８が口金２３を保持するので、フィラメント２５によって加熱された口金２３の熱をランプ支持バネ１８を通じて器具本体１２に逃がすことができ、口金２３の温度上昇を抑えることができる。また、支持バネ１８が、発光管２２端部においてフィラメント２５に対応する部分２２ｂのパネル１３側を覆うので、パネル１３を加熱するフィラメント２５からの熱を遮断することができ（図６（Ａ）、（Ｂ）参照）、平面らせん形蛍光灯２０とパネル１３との間隔を小さくすることにより、照明器具１０の薄型化を図ることができる。
【００２３】
なお、本発明の照明器具は、前述した実施形態に限定されるものでなく、適宜な変形，改良等が可能である。
例えば、前述した各実施形態においては、矩形箱状の器具本体１２を例示したが、これに限らず、例えば円形箱状等にも適用できる。
【図面の簡単な説明】
【００２４】
【図１】本発明の第１実施形態にかかる照明器具を示す分解斜視図
【図２】（Ａ）は平面らせん形蛍光灯の平面図、（Ｂ）は（Ａ）中Ｂ方向から見た正面図
【図３】ランプソケットの斜視図
【図４】（Ａ）はランプ支持バネの正面図、（Ｂ）は同じく平面図、（Ｃ）は同じく側面図
【図５】（Ａ）はランプ支持バネの取付位置を示す斜視図、（Ｂ）は平面らせん形蛍光灯をランプ支持バネで保持した状態を示す斜視図
【図６】（Ａ）は平面らせん形蛍光灯を反射板に装着した状態を示す平面図、（Ｂ）は同じく側面図、（Ｃ）は同じく平面図
【図７】（Ａ）は従来の平面らせん形蛍光灯を示す断面図、（Ｂ）は側面図
【符号の説明】
【００２５】
１０  照明器具
１２  器具本体
１３  パネル
１６  反射板（対向する面）
１７  ランプソケット
１８  ランプ支持バネ
１８ａ  口金保持部
１８ｂ  遮蔽部
２０  平面らせん形蛍光灯（蛍光ランプ）
２１  ランプピン
２２  発光管
２３  口金
２４  ブリッジ
２５  フィラメント
２２ｂ  フィラメントに対応する部分
【図１】
0005014180.tif 000002
【図２】
0005014180.tif 000003
【図３】
0005014180.tif 000004
【図４】
0005014180.tif 000005
【図５】
0005014180.tif 000006
【図６】
0005014180.tif 000007
【図７】
0005014180.tif 000008